(57)【特許請求の範囲】
【請求項１】
レーザ光を出射するレーザ光源と、
前記レーザ光源の一方の共振器面から出射されたレーザ光を光ディスクに向けて反射するミラー部と、
前記ミラー部で反射されたレーザ光を透過し、前記光ディスクで反射したレーザ光を回折するホログラム部が第１の領域に形成されたホログラム素子と、
前記ホログラム部を透過したレーザ光を平行光にするコリメータレンズと、
前記レーザ光源のレーザ光の波長に応じて、前記コリメータレンズから出射された光束の一部を反射又は透過させて対物レンズに入射する光束の直径を変えるダイクロイックフィルタと、
前記ホログラム部で回折されたレーザ光を受光する受光部を有する受光素子と、
を備え、
前記ホログラム素子は、
前記第１の領域とは異なる領域であり且つ前記レーザ光源の他方の共振器面に対応する第２の領域に、前記レーザ光源の他方の共振器面から出射される漏れ光が前記コリメータレンズ及び前記ダイクロイックフィルタに入射しないように、前記漏れ光を第１の方向に回折する第１の回折部と、
前記第１の領域及び第２の領域とは異なる領域であり且つ前記受光部に対応する第３の領域に、前記レーザ光源の他方の共振器面より射出し、前記第２の領域を透過し、前記ダイクロイックフィルタに入射し反射した外乱光が前記受光部に入射しないように、前記外乱光を第２の方向に回折する第２の回折部と、
を備えていることを特徴とする光ピックアップ装置であって、
前記第１の領域における所定の位置を中心座標点（０，０）とし、前記中心座標点（０，０）を通る第１の線をｘ軸とし、前記中心座標点（０，０）を通り前記第１の線に直交する第２の線をｙ軸とし、ｘａ、ｘｂ、ｙｂを正の数としたときに、
前記ホログラム部は、
前記第１の領域が前記第１の線である第１の分割線とｘｙ座標点（−ｘａ，０）とｘｙ座標点（−ｘｂ，ｙｂ）とを結ぶ第２の分割線とによって分割された第１のホログラム領域と、
前記第１の領域が前記第１の分割線と前記第２の分割線とｘｙ座標点（ｘａ，０）とｘｙ座標点（ｘｂ，ｙｂ）とを結ぶ第３の分割線とによって分割された第２のホログラム領域と、
前記第１の領域が前記第１の分割線と前記第３の分割線とによって分割された第３のホログラム領域と、
前記第１の領域が前記第１の分割線とｘｙ座標点（ｘａ，０）とｘｙ座標点（ｘｂ，−ｙｂ）とを結ぶ第４の分割線とによって分割された第４のホログラム領域と、
前記第１の領域が前記第１の分割線と前記第４の分割線とｘｙ座標点（−ｘａ，０）とｘｙ座標点（−ｘｂ，−ｙｂ）とを結ぶ第５の分割線とによって分割された第５のホログラム領域と、
前記第１の領域が前記第１の分割線と前記第５の分割線とによって分割された第６のホログラム領域と、
を有し、
前記ｘａ及び前記ｘｂはｘａ＜ｘｂの関係式を満たし、
前記第２のホログラム領域及び前記第５のホログラム領域は、前記第２の線に対して所定の角度をなす非点収差が付与され、前記第１のホログラム領域，前記第３のホログラム領域，前記第４のホログラム領域，及び前記第６のホログラム領域は、前記第２の線に対して前記所定の角度とは異なる角度をなす非点収差が付与されていることを特徴とする光ピックアップ装置。
【請求項２】
前記第１の分割線から前記第５の分割線のうちの少なくともいずれかは、直線，曲線，または折れ線であることを特徴とする請求項１記載の光ピックアップ装置。
【発明の詳細な説明】
【技術分野】
【０００１】
本発明は、光ディスクに情報を記録したり光ディスクに記録されている情報を再生するための光ピックアップ装置に係り、特にホログラム素子を備えた光ピックアップ装置に関する。
【背景技術】
【０００２】
光ピックアップ装置は、光ディスクに情報を記録したり光ディスクに記録されている情報を再生するためのものである。
また、光ピックアップ装置は、標準的なフォーカス誤差検出法である非点収差法と小型化及び高信頼性とを両立するための手段として、ホログラム素子による非点収差法を用いたものが採用されている。
【０００３】
ホログラム素子による非点収差法を用いた光ピックアップ装置は、一般的に、レーザ光を出射するレーザ光源と、レーザ光源から出射されたレーザ光を光ディスクに向けて反射するミラー部と、ミラー部で反射されたレーザ光を平行光にするためのコリメータレンズと、コリメータレンズで平行光とされたレーザ光を集光させて光ディスクの所定の情報記録面に合焦させるための対物レンズと、光ディスクで反射したレーザ光（戻り光）を後述する受光部に向けて回折するホログラム部を有するホログラム素子と、ホログラム部で回折された戻り光を受光する受光部を有する受光素子と、を備えている。
【０００４】
また、光ピックアップ装置は、ＣＤとＤＶＤのように情報記録密度の異なる２種類の光ディスクに対応するための、互いに発振波長の異なる２つのレーザ光源を備えたものがある。２つのレーザ光源を備えた光ピックアップ装置では、コリメータレンズ及び対物レンズの光軸上に２つのレーザ光源を一度に配置することが難しいため、発振波長がＣＤよりも短波長である高記録密度のＤＶＤ用のレーザ光源をコリメータレンズ及び対物レンズの光軸上に配置し、ＣＤ用のレーザ光源をＤＶＤ用のレーザ光源の近傍に配置することが一般的である。
【０００５】
ＤＶＤ用のレーザ光とＣＤ用のレーザ光は、対物レンズに入射する際に必要な光束の直径が異なる。コリメータレンズと対物レンズ間の光軸上には、コリメータレンズから出射されるレーザ光の波長に応じて、コリメータレンズから出射された光束の一部を反射又は透過して、対物レンズに入射する光束の直径を変える作用のある、ダイクロイックフィルタを配置するようにしてもよい。
なお、一般的に対物レンズに入射する際に必要な光束の直径は、ＤＶＤ用の直径  ＞  ＣＤ用の直径の関係にある。従って、ＤＶＤ用のレーザ光の場合は、ダイクロイックフィルタに入射した光束はほぼ全部が透過し、ＣＤ用のレーザ光の場合は、光束の外側がほぼ全部反射し、内側がほぼ全部透過するように作用する。
【０００６】
また、２層ＤＶＤのように２層の情報記録層を有する光ディスクの記録再生を行う光ピックアップ装置がある。
【０００７】
ところで、上述の正規の光路とは異なって外部からの迷光等の外乱光がホログラム素子におけるホログラム部よりも外側の領域を通って受光部に入射する場合がある。
外乱光の受光部への入射はフォーカス調整やトラッキング調整等の精度を悪化させる要因となる。
【０００８】
そこで、ホログラム素子におけるホログラム部よりも外側の領域を粗面化してこの外側の領域を透過する外乱光を粗面により散乱させる手段が特許文献１に開示されている。
【先行技術文献】
【特許文献】
【０００９】
【特許文献１】特開２００１−０７６３６３号公報
【発明の概要】
【発明が解決しようとする課題】
【００１０】
しかしながら、特許文献１に開示されている手段では、粗面により散乱した外乱光の一部が受光部に入射する場合があるため、さらなる改善が望まれる。
【００１１】
ところで、光ピックアップ装置に用いられるレーザ光源は、互いに対向する一対の共振器面を備えた共振器構造を有する。そのため、レーザ光源の一方の共振器面から出射されるレーザ光（主ビーム）はミラー部に照射されるものの、レーザ光源の他方の共振器面からも光ディスクに情報を記録したり光ディスクに記録されている情報を再生することに寄与しない漏れ光が発生する。漏れ光の光量は主ビームの光量の１／１〜１／５程度である。
レーザ光源で発生した漏れ光の一部は、ホログラム素子におけるホログラム部よりも外側の領域、及びコリメータレンズを順次透過してダイクロイックフィルタや光ディスクに照射される。この漏れ光がダイクロイックフィルタや光ディスクで反射して受光部に入射すると、フォーカス調整やトラッキング調整等の精度を悪化させる要因となる。
【００１２】
上記問題は、ダイクロイックフィルタを配置した場合に発生しやすく、特にＣＤとＤＶＤのように情報記録密度の異なる２種類の光ディスクに対応するための、互いに発振波長の異なる２つのレーザ光源を有する光ピックアップ装置において、コリメータレンズや対物レンズの光軸上に配置されていないＣＤ用のレーザ光源に対して発生しやすい。
【００１３】
そこで、本発明は上記課題に鑑みてなされたものであり、本発明の目的は、従来よりも、外部から入射した外乱光が受光部に照射されることを防止し、レーザ光源で発生した漏れ光がコリメータレンズを通って反射光として受光部に照射されることを防止することができ、フォーカス調整やトラッキング調整等の精度を従来よりも改善することが可能な光ピックアップ装置を提供することにある。
【課題を解決するための手段】
【００１４】
上記の課題を解決するために、本発明は次の光ピックアップ装置を提供する。
１）レーザ光（Ｌａ）を出射するレーザ光源（３０４）と、前記レーザ光源の一方の共振器面から出射されたレーザ光を光ディスク（Ｄｘ）に向けて反射するミラー部（３０５）と、前記ミラー部で反射されたレーザ光を透過し、前記光ディスクで反射したレーザ光（Ｌｂ）を回折するホログラム部（１２０）が第１の領域に形成されたホログラム素子（３０６）と、前記ホログラム部を透過したレーザ光を平行光にするコリメータレンズ（３０７）と、前記レーザ光源のレーザ光の波長に応じて、前記コリメータレンズから出射された光束の一部を反射又は透過して、対物レンズに入射する光束の直径を変えるダイクロイックフィルタと、前記ホログラム部で回折されたレーザ光（Ｌｂ）を受光する受光部（３０８）を有する受光素子（３０９）と、を備え、前記ホログラム素子は、前記第１の領域とは異なる領域であり且つ前記レーザ光源の他方の共振器面に対応する第２の領域に、前記レーザ光源の他方の共振器面から出射される漏れ光（Ｌｃ）が前記コリメータレンズ及び前記ダイクロイックフィルタに入射しないように、前記漏れ光を第１の方向（ｙ１，ｙ２）に回折する第１の回折部（３１１）と、前記第１の領域及び第２の領域とは異なる領域であり且つ前記受光部に対応する第３の領域に、前記レーザ光源の他方の共振器面より射出し、前記第２の領域を透過し、前記ダイクロイックフィルタに入射し反射した外乱光が前記受光部に入射しないように、前記外乱光を第２の方向（ｙ３，ｙ４）に回折する第２の回折部（３１２）と、を備えていることを特徴とする光ピックアップ装置（３００）であって、前記第１の領域における所定の位置（Ｏ２０）を中心座標点（０，０）とし、前記中心座標点（０，０）を通る第１の線をｘ軸とし、前記中心座標点（０，０）を通り前記第１の線に直交する第２の線をｙ軸とし、ｘａ、ｘｂ、ｙｂを正の数としたときに、前記ホログラム部は、前記第１の領域が前記第１の線である第１の分割線（Ａ）とｘｙ座標点（−ｘａ，０）とｘｙ座標点（−ｘｂ，ｙｂ）とを結ぶ第２の分割線（Ｂ）とによって分割された第１のホログラム領域（２１）と、前記第１の領域が前記第１の分割線と前記第２の分割線とｘｙ座標点（ｘａ，０）とｘｙ座標点（ｘｂ，ｙｂ）とを結ぶ第３の分割線（Ｃ）とによって分割された第２のホログラム領域（２２）と、前記第１の領域が前記第１の分割線と前記第３の分割線とによって分割された第３のホログラム領域（２３）と、前記第１の領域が前記第１の分割線とｘｙ座標点（ｘａ，０）とｘｙ座標点（ｘｂ，−ｙｂ）とを結ぶ第４の分割線（Ｄ）とによって分割された第４のホログラム領域（２４）と、前記第１の領域が前記第１の分割線と前記第４の分割線とｘｙ座標点（−ｘａ，０）とｘｙ座標点（−ｘｂ，−ｙｂ）とを結ぶ第５の分割線（Ｅ）とによって分割された第５のホログラム領域（２５）と、前記第１の領域が前記第１の分割線と前記第５の分割線とによって分割された第６のホログラム領域（２６）と、を有し、前記ｘａ及び前記ｘｂはｘａ＜ｘｂの関係式を満たし、前記第２のホログラム領域及び前記第５のホログラム領域は、前記第２の線に対して所定の角度をなす非点収差が付与され、前記第１のホログラム領域，前記第３のホログラム領域，前記第４のホログラム領域，及び前記第６のホログラム領域は、前記第２の線に対して前記所定の角度とは異なる角度をなす非点収差が付与されていることを特徴とする１）記載の光ピックアップ装置（９０）。
２）前記第１の分割線から前記第５の分割線のうちの少なくともいずれかは、直線，曲線，または折れ線であることを特徴とする１）記載の光ピックアップ装置。
【発明の効果】
【００１５】
本発明によれば、外部から入射した外乱光が受光部に照射されることを防止し、レーザ光源で発生した漏れ光がコリメータレンズを通って反射光として受光部に照射されることを防止することができ、フォーカス調整やトラッキング調整等の精度を従来よりも改善することが可能になる。
【図面の簡単な説明】
【００１６】
【図１】本発明の光ピックアップ装置の実施例１を説明するための図であり、図１（ａ）は受光素子側から見たときの模式的断面図であり、図１（ｂ）はレーザ光源側から見たときの模式的断面図であり、図１（ｃ）はホログラム素子側から見たときの模式的上面図である。
【図２】本発明に係る光ピックアップ装置の実施例２を説明するための図であり、例えばＤＶＤを再生する場合を示すものである。
【図３】本発明に係る光ピックアップ装置の実施例２を説明するための図であり、例えばＣＤを再生する場合を示すものである。
【図４】本発明に係る光ピックアップ装置の実施例２を説明するための図であり、例えば２層ＤＶＤを再生する場合を示すものである。
【図５】本発明に係る光ピックアップ装置の実施例２におけるホログラム素子を説明するための模式的平面図である。
【図６】実施例１及び２のホログラム部に光ディスクからの戻り光が照射された状態を示す模式的平面図である。
【図７】本発明に係る光ピックアップ装置の実施例１における受光部の平面図であり、図７（ａ）は例えばＤＶＤ再生においてＤＶＤからの戻り光が実施例１のホログラム部で回折されて受光部に照射された状態を示し、図７（ｂ）は例えばＣＤ再生においてＣＤからの戻り光が実施例１のホログラム部で回折されて受光部に照射された状態を示し、図７（ｃ）は例えば２層ＤＶＤにおけるレーザ光源に近い側の情報記録層の再生において２層ＤＶＤにおけるレーザ光源から遠い側の情報記録層からの戻り光が実施例１のホログラム部で回折されて受光部に照射された状態を示すものである。
【図８】本発明に係る光ピックアップ装置の実施例２における受光部の平面図であり、図８（ａ）は例えばＤＶＤ再生においてＤＶＤからの戻り光が実施例２のホログラム部で回折されて受光部に照射された状態を示し、図８（ｂ）は例えばＣＤ再生においてＣＤからの戻り光が実施例２のホログラム部で回折されて受光部に照射された状態を示し、図８（ｃ）は例えば２層ＤＶＤにおけるレーザ光源に近い側の情報記録層の再生において２層ＤＶＤにおけるレーザ光源から遠い側の情報記録層からの戻り光が実施例２のホログラム部で回折されて受光部に照射された状態を示すものである。
【図９】本発明に係る光ピックアップ装置の実施例２の変形例を説明するための模式的平面図であり、図５に対応するものである。
【図１０】本発明に係る光ピックアップ装置の実施例２の変形例を説明するための模式的平面図であり、図５に対応するものである。
【発明を実施するための形態】
【００１７】
本発明の実施の形態を、好ましい実施例１及び２により図１〜図１０を用いて説明する。
【００１８】
＜実施例１＞
図１に示すように、光ピックアップ装置３００は、ベース部３０２と、ベース部３０２上に固定されたサブマウント部３０３と、サブマウント部３０３上に固定され、所定の発振波長を有するレーザ光の主ビームＬａを後述するミラー部３０５に向けて出射するレーザ光源３０４と、ベース部３０２上に固定され、レーザ光源３０４から出射された主ビームＬａを光ディスクＤｘに向けて反射する反射面３０５ａを有するミラー部３０５と、ミラー部３０５で反射された主ビームＬａの光軸上に配置され、反射面３０５ａで反射された主ビームＬａを透過し、光ディスクＤｘからの戻り光Ｌｂを後述する受光部３０８に向けて回折するホログラム部１２０を有するホログラム素子３０６と、ホログラム素子３０６の上方であって主ビームＬａの光軸上に配置され、ホログラム部１２０を透過した主ビームＬａを平行光にするためのコリメータレンズ３０７と、コリメータレンズ３０７で平行光とされた主ビームＬａを集光して光ディスクＤｘの所定の情報記録面に合焦させるための対物レンズ２００と、光ディスクＤｘからの戻り光Ｌｂを受光する受光部３０８を有する受光素子３０９と、を備えている。
【００１９】
光ディスクＤｘは、例えばＣＤ（Compact Disc）、ＤＶＤ（Digital versatile Disc）、ＢＤ（Blue-ray Disc）、２層の情報記録層を有する２層ＤＶＤ等である。
ベース部３０２は例えばリードフレームや回路基板である。
【００２０】
図１では、説明をわかりやすくするために１つのレーザ光源を示しているが、例えばＣＤ及びＤＶＤにそれぞれ対応するためにはＣＤ用及びＤＶＤ用の２つのレーザ光源を備えることは言うまでもない。
即ち、レーザ光源３０４の数やレーザ光（主ビーム）Ｌａの発振波長は対象とする光ディスクＤｘの形態に応じて適宜設定されるものである。
【００２１】
また、レーザ光（主ビーム）Ｌａの発振波長に応じて対物レンズ２００に入射する際に必要な光束の直径が互いに異なるため、コリメータレンズ３０７と対物レンズ２００との間の光軸上には、レーザ光（主ビーム）Ｌａの発振波長に応じてコリメータレンズ３０７から出射された光束の一部を反射又は透過して、対物レンズ２００に入射する光束の直径を変える作用を有するダイクロイックフィルタ４００が配置されている。
コリメータレンズ３０７の光軸と対物レンズ２００の光軸とは互いに一致しており、図１ではこれら光軸を便宜上、一点鎖線で共通に示している。
【００２２】
次に、ホログラム素子３０６について図１（ｃ）を用いて詳細に説明する。
【００２３】
図１（ｃ）に示すように、ホログラム素子３０６は、６つのホログラム領域１２１〜１２６を有するホログラム部１２０と、ホログラム部１２０よりも外側の領域であってレーザ光源３０４の上方にレーザ光源３０４を覆うように形成された回折部３１１と、ホログラム部１２０よりも外側の領域であって受光素子３０９の上方に少なくとも受光部３０８を覆うように形成された回折部３１２と、を備えている。
ホログラム部１２０は、ホログラム部１２０の中心Ｏ１２０が図１（ａ）及び（ｂ）の一点鎖線で示すコリメータレンズ３０７及び対物レンズ２００の光軸上に位置するように配置されている。
【００２４】
ここで、レーザ光源３０４から出射されるレーザ光の主ビームＬａの光路について説明する。
【００２５】
レーザ光源３０４は一般的に一対の共振器面を備えた共振器構造を有し、レーザ光源３０４の一方の共振器面からレーザ光の主ビームＬａが出射される。
主ビームＬａはミラー部３０５の反射面３０５ａで反射され、ホログラム素子３０６のホログラム部１２０の中心Ｏ１２０及びその近傍の領域を通過する。
さらに主ビームＬａはコリメータレンズ３０７で平行光とされて光ピックアップ装置３００から光ディスクＤｘに向けて出射される。
【００２６】
光ピックアップ装置３００から出射された主ビームＬａは、ダイクロイックフィルタ４００を通過し、対物レンズ２００で集光されて光ディスクＤｘの所定の情報記録面に合焦される。
【００２７】
光ディスクＤｘの所定の情報記録面に合焦された主ビームＬａは、情報記録面に記録されている情報に応じて変調され、戻り光Ｌｂとなって反射される。
戻り光Ｌｂは、対物レンズ２００、ダイクロイックフィルタ４００、及びコリメータレンズ３０７を順次透過してホログラム素子３０６のホログラム部１２０の中心Ｏ１２０及びその近傍の領域に照射される。
ホログラム部１２０に照射された戻り光Ｌｂはホログラム領域１２１〜１２６ごとに回折されて受光素子３０９の受光部３０８に照射される。
【００２８】
ところで、レーザ光源３０４は主ビームＬａが出射される一方の共振器面に対向する他方の共振器面からのレーザ光の漏れ光Ｌｃが出射される。
漏れ光Ｌｃの光量は主ビームＬａの光量に対して１／１〜１／５程度である。
【００２９】
ここで、漏れ光Ｌｃの光路について図１（ａ）を用いて説明する。なお、図１（ａ）では主ビームＬａとの区別を容易にするために漏れ光Ｌｃを破線で示している。
【００３０】
まず、回折部３１１を有さない場合を比較例として説明する。
レーザ光源３０４の他方の共振器面から出射された漏れ光Ｌｃは、ホログラム素子３０６におけるホログラム部１２０よりも外側の領域を透過してダイクロイックフィルタ４００に照射される。
ダイクロイックフィルタ４００は、ダイクロイックフィルタ４００に入射したレーザ光（主ビーム）Ｌａの発振波長に応じて、入射した主ビームＬａの光束の一部が反射した場合に、その反射したレーザ光が、コリメータレンズ３０７を透過してホログラム素子３０６に入射し、ホログラム素子３０６を透過、又はホログラム部１２０により回折されて、受光素子３０９の受光部３０８に入射することで、フォーカス誤差検出精度やトラッキング誤差検出精度が悪化する影響を低減するために一点鎖線で示す光軸に対して傾いて配置されている。このため、ダイクロイックフィルタ４００で反射した漏れ光Ｌｃは、コリメータレンズ３０７を透過してホログラム素子３０６のホログラム部１２０又はホログラム部１２０よりも外側の領域に照射される場合がある。ホログラム部１２０又はホログラム部１２０よりも外側の領域に照射された漏れ光Ｌｃは、受光素子３０９の受光部３０８に照射される。このため、漏れ光Ｌｃの受光部３０８への照射は受光素子３０９としてのフォーカス誤差検出精度やトラッキング誤差検出精度を悪化させる要因になる。
【００３１】
上述した比較例に対して実施例１のホログラム素子３０６では、ホログラム部１２０よりも外側の領域であってレーザ光源３０４の上方にレーザ光源３０４を覆うように回折部３１１が形成されている。
このため、レーザ光源３０４の他方の共振器面から出射された漏れ光Ｌｃは、ホログラム素子３０６の回折部３１１に照射される。
回折部３１１は、レーザ光源３０４から出射された漏れ光Ｌｃがコリメータレンズ３０７やダイクロイックフィルタ４００に照射されないように、漏れ光Ｌｃを例えば矢印ｙ１，ｙ２の方向に±１次以上の回折光として回折し、透過する０次光の光量が極めて小さくなるように設計されている。
回折部３１１の漏れ光Ｌｃに対する回折方向、回折角度、及び各回折光の光量比率は回折部３１１に形成する溝のピッチ、幅、深さ、及び曲率等のパラメータを調整することによって決定される。
従って、回折部３１１により、レーザ光源３０４から出射された漏れ光Ｌｃが受光部３０８に照射されることを防止できる。
【００３２】
次に、外部から外乱光Ｌｄが光ピックアップ装置３００に入射した場合について図１（ｂ）を用いて説明する。
【００３３】
前述のように、回折部３１１は、透過する０次光の光量が極めて小さくなるように設計されているものの、製造上の寸法や位置のばらつきによって透過する０次光の光量が増減する場合がある。透過する０次光の光量が増加した場合は、ダイクロイックフィルタ４００に入射する漏れ光Ｌｃの光量も増加し、ダイクロイックフィルタ４００で反射し、ホログラム素子３０６のホログラム部１２０又はホログラム部１２０よりも外側の領域に外乱光Ｌｄとして照射され、受光素子３０９の受光部３０８に照射される。
【００３４】
ダイクロイックフィルタ４００は図示しないアクチュエータに取り付けられており、アクチュエータが駆動するとダイクロイックフィルタ４００は、一点鎖線で示す光軸に対する角度やコリメータレンズとの相対距離が変化する。そのため、ダイクロイックフィルタ４００で反射して、ホログラム素子３０６のホログラム部１２０又はホログラム部１２０よりも外側の領域に照射する外乱光Ｌｄの位置及び光量が変化し、アクチュエータの駆動状態に応じて受光部３０８に照射される外乱光Ｌｄの光量が変化する場合がある。そのため、外乱光Ｌｄは受光素子３０９としてのフォーカス誤差検出精度やトラッキング誤差検出精度を悪化させる要因になる。
【００３５】
それに対して実施例１のホログラム素子３０６では、ホログラム部１２０よりも外側の領域であって受光素子３０９の上方に少なくとも受光部３０８を覆うように形成された回折部３１２を備えている。
回折部３１２は、外部から照射される外乱光Ｌｄが受光素子３０９、特に受光部３０８に照射されないように、外乱光Ｌｄを例えば矢印ｙ３，ｙ４の方向に±１次以上の回折光として回折し、透過する０次光の光量が極めて小さくなるように設計されている。
回折部３１２の外乱光Ｌｄに対する回折方向及び回折角度は回折部３１２に形成する溝のピッチ、幅、深さ、及び曲率等のパラメータを調整することによって決定される。
このため、外部から受光部３０８に向かって外乱光Ｌｄが照射された場合においても、外乱光Ｌｄは回折部３１２によって回折し、透過する０次光の光量は極めて小さいので、外乱光Ｌｄの受光素子３０９、特に受光部３０８への照射を防止することができる。
【００３６】
上述した回折部３１１及び回折部３１２はホログラム部１２０と共に一度に形成することができる。
【００３７】
＜実施例２＞
次に、本発明の光ピックアップ装置の実施例２について図２〜図１０を用いて説明する。
実施例２は、実施例１に対して特にホログラム素子のホログラム部の構成が異なる点に特徴を有する。また、実施例２の光ピックアップ装置では発振波長が互いに異なる２つのレーザ光源を備えている。なお、実施例１と同じ構成部については説明をわかりやすくするために同じ符号を付して説明する。
【００３８】
まず、実施例２の光ピックアップ装置９０について図２〜図４を用いて説明する。図２は例えばＤＶＤを再生する場合を示すものである。図３は例えばＣＤを再生する場合を示すものである。図４は例えば２層ＤＶＤを再生する場合を示すものである。図２〜図４の（ａ）〜（ｃ）は図１の（ａ）〜（ｃ）にそれぞれ対応するものである。
【００３９】
図２〜図４に示すように、光ピックアップ装置９０は、ベース部３０２と、ベース部３０２上に固定されたサブマウント部３０３と、サブマウント部３０３上に固定され、所定の発振波長を有するレーザ光の主ビームＬａ１を後述するミラー部３０５に向けて出射するレーザ光源１と、上記所定の発振波長とは異なる発振波長を有するレーザ光の主ビームＬａ２を後述するミラー部３０５に向けて出射するレーザ光源２と、ベース部３０２上に固定され、レーザ光源１，２から出射された主ビームＬａ１，Ｌａ２を光ディスクＤ１〜Ｄ３に向けて反射する反射面３０５ａを有するミラー部３０５と、ミラー部３０５の上方であってミラー部３０５（反射面３０５ａ）で反射された主ビームＬａ１，Ｌａ２の光軸上に配置され、反射面３０５ａで反射した主ビームＬａ１，Ｌａ２を透過し、光ディスクＤ１〜Ｄ３からの戻り光Ｌｂ１〜Ｌｂ３を後述する受光部３０８に向けて回折するホログラム部２０を有するホログラム素子３と、ホログラム素子３の上方であって主ビームＬａ１，Ｌａ２の光軸上に配置され、ホログラム部２０を透過した主ビームＬａ１，Ｌａ２を平行光にするためのコリメータレンズ３０７と、コリメータレンズ３０７で平行光とされたレーザ光の主ビームＬａ１，Ｌａ２を集光して光ディスクＤ１〜Ｄ３の所定の情報記録面に合焦させるための対物レンズ２００と、光ディスクＤ１〜Ｄ３からの戻り光Ｌｂ１〜Ｌｂ３を受光する受光部３０８を有する受光素子３０９と、を備えている。
ベース部３０２は例えばリードフレームや回路基板である。
【００４０】
コリメータレンズ３０７から出射された主ビームＬａ１，Ｌａ２の光軸上には、コリメータレンズ３０７で平行光とされたレーザ光の主ビームＬａ１，Ｌａ２を集光して光ディスクＤ１〜Ｄ３の所定の情報記録面に合焦させるための対物レンズ２００が配置されている。
コリメータレンズ３０７の光軸と対物レンズ２００の光軸とは互いに一致しており、図２〜図４ではこれら光軸を便宜上、一点鎖線で共通に示している。
【００４１】
実施例２の光ディスクＤ１〜Ｄ３は実施例１の光ディスクＤｘに対応し、図２（ａ）に示すＤ１は所定の情報記録密度を有する光ディスク（例えばＤＶＤ）であり、図２（ｂ）に示すＤ２は光ディスクＤ１よりも情報記録密度が低い光ディスク（例えばＣＤ）であり、図２（ｃ）に示すＤ３は２層の情報記録層を有する光ディスク（例えば２層ＤＶＤ）である。
【００４２】
実施例２のレーザ光源１，２は実施例１のレーザ光源３０４に対応する。
レーザ光源１は所定の発振波長を有するレーザ光源（例えばＤＶＤ用のレーザ光源）であり、コリメータレンズ３０７及び対物レンズ２００の光軸上に配置されている。
レーザ光源２はレーザ光源１よりも発振波長が短いレーザ光源（例えばＣＤ用のレーザ光源）であり、レーザ光源１の近傍に配置されており、レーザ光源２の主ビームＬａ１の光軸とコリメータレンズ３０７及び対物レンズ２００の光軸とは一致していない。
レーザ光源１の発光点とレーザ光源２の発光点との距離は、各レーザ光源１，２の構造上１００μｍ以上になる。
【００４３】
実施例２のホログラム部２０及びホログラム素子３は実施例１のホログラム部１２０及びホログラム素子３０６に対応する。
【００４４】
コリメータレンズ３０７から出射したレーザ光（主ビーム）Ｌａ１，Ｌａ２の発振波長に応じて対物レンズ２００に入射する際に必要な光束の直径が互いに異なるため、コリメータレンズ３０７と対物レンズ２００との間の光軸上には、レーザ光（主ビーム）Ｌａ１，Ｌａ２の発振波長に応じてコリメータレンズ３０７から出射された光束の一部を反射又は透過して、対物レンズ２００に入射する光束の直径を変える作用を有するダイクロイックフィルタ４００が配置されている。
【００４５】
実施例２では、検出光学系の横倍率を６倍とし、レーザ光源１の発光点からホログラム部の中心点までの距離を２．６ｍｍとし、レーザ光源１の発光点とレーザ光源２の発光点との距離を０．１１ｍｍとした。
【００４６】
次に、ホログラム素子３について図５を用いて詳細に説明する。
【００４７】
図５に示すように、ホログラム素子３は、６つのホログラム領域２１〜２６を有するホログラム部２０と、ホログラム部２０よりも外側の領域であってレーザ光源１，２の上方にレーザ光源１，２を覆うように形成された｛図２〜図４の（ｃ）参照｝回折部３１１と、ホログラム部２０よりも外側の領域であって受光素子３０９の上方に少なくとも受光部３０８を覆うように形成された｛図２〜図４の（ｃ）参照｝回折部３１２と、を備えている。
ホログラム部２０は、ホログラム部２０の中心Ｏ２０が図２〜図４の（ａ）及び（ｂ）の一点鎖線で示すコリメータレンズ３０７及び対物レンズ２００の光軸上に位置するように配置されている。
実施例２のホログラム領域２１〜２６は実施例１のホログラム領域１２１〜１２６にそれぞれ対応するものである。
また、実施例２の回折部３１１及び回折部３１２は実施例１の回折部３１１及び回折部３１２にそれぞれ対応するものである。
【００４８】
図５に示すように、ホログラム部２０をｘ−ｙ座標で表すと、ホログラム部２０は、（−ｘｂ，ｙｂ）、（ｘｂ，ｙｂ）、（ｘｂ，−ｙｂ）、及び（−ｘｂ，−ｙｂ）の４つの座標点を結ぶ線で囲まれた領域で表すことができる。なお、図５では光ディスクＤ１〜Ｄ３（図２〜図４参照）のトラックを二点鎖線で模式的に示しており、ｙ軸は光ディスクＤ１〜Ｄ３のトラックの座標点（０，０）における接線に相当する。
【００４９】
また、ホログラム部２０は、６つのホログラム領域２１〜２６を有している。
ホログラム領域２１は、座標点（０，０）を通りｙ軸に直交する分割線Ａ（ｘ軸に相当する）と、座標点（−ｘａ，ｙａ）を通り座標点（−ｘａ，０）と座標点（−ｘｂ，ｙｂ）とを結ぶ分割線Ｂと、によって分割された領域である。
ホログラム領域２２は、分割線Ａと、分割線Ｂと、座標点（ｘａ，ｙａ）を通り座標点（ｘａ，０）と座標点（ｘｂ，ｙｂ）とを結ぶ分割線Ｃと、によって分割された領域である。
ホログラム領域２３は分割線Ａと分割線Ｃとによって分割された領域である。
ホログラム領域２４は、分割線Ａと、座標点（ｘａ，−ｙａ）を通り座標点（ｘａ，０）と座標点（ｘｂ，−ｙｂ）とを結ぶ分割線Ｄと、によって分割された領域である。
ホログラム領域２５は、分割線Ａと、分割線Ｄと、座標点（−ｘａ，−ｙａ）を通り座標点（−ｘａ，０）と座標点（−ｘｂ，−ｙｂ）とを結ぶ分割線Ｅと、によって分割された領域である。
ホログラム領域２６は分割線Ａと分割線Ｅとによって分割された領域である。
ここで、ｘａ及びｘｂは、ｘａ＜ｘｂの関係式を満たし、ｙａ及びｙｂは、ｙａ＜ｙｂの関係式を満たす。実施例では、ｘａ＝０．１５mm、ｘｂ＝０．５mm、ｙａ＝０．１５mm、ｙｂ＝０．５mmとした。
【００５０】
ホログラム領域２２及び２５は、光ディスクＤ１〜Ｄ３のトラックの座標点（０，０）における接線（ｙ軸）に対して略４５度の角度をなす非点収差が付与され、他のホログラム領域２１，２３，２４，及び２６は、光ディスクＤ１〜Ｄ３のトラックの座標点（０，０）における接線（ｙ軸）に対して略９０度の角度をなす非点収差が付与されており、これらホログラム領域２１〜２６は光ディスクＤ１〜Ｄ３からの戻り光Ｌｂ１〜Ｌｂ３を上記接線と略直交する方向に回折する。
【００５１】
次に、光ディスクＤ１（例えばＤＶＤ）を再生する場合、光ディスクＤ２（例えばＣＤ）を再生する場合、及び光ディスクＤ３（例えば２層ＤＶＤ）を再生する場合について、図１〜図５と共に図６〜図８を用いて説明する。
図６（ａ）〜（ｃ）は実施例１のホログラム部を示すものである。図６（ｄ）〜（ｆ）は実施例２のホログラム部を示すものである。
また、図６（ａ），（ｄ）は例えばＤＶＤ再生においてＤＶＤからの戻り光がホログラム部に照射された状態を示し、図６（ｂ），（ｅ）は例えばＣＤ再生においてＣＤからの戻り光がホログラム部に照射された状態を示し、図６（ｃ），（ｆ）は例えば２層ＤＶＤ再生において２層ＤＶＤからの戻り光がホログラム部に照射された状態を示すものであり、図６（ａ）〜（ｃ）と図６（ｄ）〜（ｆ）とはそれぞれ対応するものである。
なお、図６（ａ）〜（ｆ）では説明をわかりやすくするために回折部３１１及び回折部３１２をそれぞれ省略して示している。
【００５２】
ここで、受光素子３０９の受光部３０８について説明する。
受光部３０８は、ホログラム領域１２２及び１２５によって非点収差を付与された戻り光Ｌｂに対応するそれぞれ２つの焦線の間で戻り光Ｌｂをそれぞれ受光するように配置されており、ホログラム領域１２１〜１２６でそれぞれ回折された回折光（戻り光Ｌｂ）を回折する方向と略同じ方向の分割線により、少なくとも２つの領域に分割された受光領域で受光するように構成されている。
また、受光部３０８は、ホログラム領域２２及び２５によって非点収差を付与された戻り光Ｌｂ１〜Ｌｂ３に対応するそれぞれ２つの焦線の間で戻り光Ｌｂ１〜Ｌｂ３をそれぞれ受光するように配置されており、ホログラム領域２１〜２６でそれぞれ回折された回折光（戻り光Ｌｂ１〜Ｌｂ３）を回折する方向と略同じ方向の分割線により、少なくとも２つの領域に分割された受光領域で受光するように構成されている。
【００５３】
図７及び図８に示すように、実施例１及び実施例２では、受光部３０８は、分割線ｘ３０とこの分割線ｘ３０に直交する分割線ｙ３０とによって分割された４つの受光領域３１〜３４を有し、後述するスポット１４２，１４５，１５２，１５５，４２，４５，５２，５５が分割線ｘ３０でそれぞれ分割されるように配置されている。
【００５４】
まず、実施例１のホログラム部１２０を有するホログラム素子３０６を用い、他の構成は実施例２の光ピックアップ装置と同様のものを実施例１の変形例（第１変形例）として以下に説明する。
【００５５】
光ディスクＤ１（例えばＤＶＤ）の再生を行う場合、光ディスクＤ１用のレーザ光源１はコリメータレンズ３０７及び対物レンズ２００の光軸上に配置されているため、図６（ａ）に示すように、光ディスクＤ１からの戻り光Ｌｂ１のホログラム部１２０上における光束Ｌｂ１１１は、ホログラム部１２０の中心部に位置する。
戻り光Ｌｂ１（光束Ｌｂ１１１）は、さらにホログラム部１２０の６つのホログラム領域１２１〜１２６毎に回折されて受光部３０８に到達する。図７（ａ）に示すスポット１４１〜１４６は、各ホログラム領域１２１〜１２６で回折された戻り光Ｌｂ１が受光部３０８に照射される領域であり、スポット１４１〜１４６とホログラム領域１２１〜１２６とはそれぞれ対応するものである。
【００５６】
一方、光ディスクＤ２（例えばＣＤ）の再生を行う場合、光ディスクＤ２用のレーザ光源２の主ビームＬａ１の光軸とコリメータレンズ３０７及び対物レンズ２００の光軸とは一致していないため、図６（ｂ）に示すように、光ディスクＤ２からの戻り光Ｌｂ２のホログラム部１２０上における光束Ｌｂ１１２は、ホログラム部１２０の中心部からずれる。このとき、戻り光Ｌｂ２の光束Ｌｂ１１２の中心ＯＬｂ１１２はホログラム領域１２２及び１２５とは異なった領域に位置する。
戻り光Ｌｂ２（光束Ｌｂ１１２）は、さらにホログラム部１２０の６つのホログラム領域１２１〜１２６毎に回折されて受光部３０８に到達する。図７（ｂ）に示すスポット１５１〜１５６は、各ホログラム領域１２１〜１２６で回折された戻り光Ｌｂ２が受光部３０８に照射される領域であり、スポット１５１〜１５６とホログラム領域１２１〜１２６とはそれぞれ対応するものである。
【００５７】
図７（ａ）及び（ｂ）に示すように、光ディスクＤ２（ＣＤ）再生の場合は光ディスクＤ１（ＤＶＤ）再生の場合に比べて受光領域３１，３２におけるスポット１５５，１５２の面積が小さくなる。スポットの面積はその受光領域３１，３２における戻り光の受光量に相当するので、スポット１５５，１５２の面積が小さい受光領域３１，３２では受光量が減少するため、受光素子３０９としての光ディスクＤ２再生におけるフォーカス誤差検出感度が悪化する。
【００５８】
ところで、光ピックアップ装置を製造する過程で各光学部品の実装位置のばらつきにより、受光部３０８におけるスポットの位置が光ピックアップ装置毎にばらつく。
図７（ａ）の破線部は、光ディスクＤ１再生の場合に各光学部品の実装位置のばらつきによってスポット１４５及び１４２がずれた状態を模式的に示すものである。また、図７（ｂ）の破線部は、光ディスクＤ２再生の場合に各光学部品の実装位置のばらつきによってスポット１５５及び１５２がずれた状態を模式的に示すものである。
【００５９】
図７（ａ）に示すように、光ディスクＤ１の再生において、スポット１４５，１４２が破線で示す位置にずれた場合、受光領域の分割線ｘ３０とスポット１４５，１４２との重なり長さが小さくなるため、上述した理由と同様の理由により、受光素子３０９としてのフォーカス誤差検出感度が悪化する。
【００６０】
また、図７（ｂ）に示すように、光ディスクＤ２の再生において、スポット１５５，１５２が破線で示す位置にずれた場合、受光領域の分割線ｘ３０におけるスポット１５５，１５２の重なり長さが光ディスクＤ１の再生の場合の受光領域の分割線ｘ３０におけるスポット１４５，１４２の重なり長さよりもさらに小さくなるため、上述した理由と同様の理由により、受光素子３０９としてのフォーカス誤差検出感度がさらに悪化する。
フォーカス誤差検出感度が悪化すると、記録再生時における光ディスクの面ぶれに対する対物レンズの追従に遅れが生じ、記録再生信号のジッター劣化が発生する場合がある。
【００６１】
図４に示すように、２層ＤＶＤ等の光ディスクＤ３は、２層の情報記録層Ｄ３ａ，Ｄ３ｂを有している。
光ピックアップ装置に近い側の情報記録層Ｄ３ａの再生を行う場合、図６（ｃ）に示すように、光ディスクＤ３における情報記録層Ｄ３ａからの戻り光Ｌｂ３のホログラム部１２０上における光束Ｌｂ１１３は、ホログラム部１２０の中心部である、フォーカス誤差検出用に非点収差を付与した領域に位置する。
このとき、再生しない側の情報記録層Ｄ３ｂからの反射光Ｌｂ４もホログラム部１２０に照射される。この再生しない側の情報記録層Ｄ３ｂからの反射光Ｌｂ４は不要光である。図６（ｃ）では、反射光Ｌｂ４のホログラム部１２０上における光束をＬｂ１１４として示している。
例えば、戻り光Ｌｂ３のホログラム部２０上における光束Ｌｂ１３の直径は約０．５ｍｍであり、反射光Ｌｂ４のホログラム部２０上における光束Ｌｂ１４の直径は０．１ｍｍ以下である。
【００６２】
反射光Ｌｂ４（光束Ｌｂ１１４）は、ホログラム部１２０の６つのホログラム領域１２１〜１２６毎に回折されて受光部３０８に到達する。図７（ｃ）に示すスポット１６１〜１６６は、各ホログラム領域１２１〜１２６で回折された反射光Ｌｂ４（光束Ｌｂ１１４）が受光部３０８及びその近傍に照射される領域であり、スポット１６１〜１６６とホログラム領域１２１〜１２６とはそれぞれ対応するものである。
【００６３】
戻り光Ｌｂ３と不要光である反射光Ｌｂ４とがホログラム領域１２１〜１２６に照射されている状態で例えば対物レンズ２００の位置が光ディスクの半径方向に移動すると、図６（ｃ）の破線で示すように、反射光Ｌｂ４（光束Ｌｂ１１４）が分割線Ａ１２０及びＢ１２０を横切って移動するため、図７（ｃ）に示すようなスポット１６１〜１６６の分布になる。
そのため、受光部３０８の各受光領域３１〜３４におけるスポット１６１〜１６６の面積の和、即ち各受光領域３１〜３４におけるスポット１６１〜１６６の受光量の和が受光領域３１〜３４ごとに異なる。不要光である反射光Ｌｂ４の受光量が受光領域３１〜３４ごとに異なるため、受光領域３１〜３４の受光感度に与える反射光（不要光）Ｌｂ４の影響が受光領域３１〜３４ごとに異なる。その結果、受光素子３０９としてのフォーカス誤差検出信号にノイズが加わり、合焦ずれの状態で記録再生することになる。この結果、記録再生信号のジッター劣化が発生する場合がある。
【００６４】
次に、上述した実施例１の変形例（第１変形例）に対し、実施例２の光ピックアップ装置９０を用いて光ディスクＤ１〜Ｄ３を再生する場合について説明する。
【００６５】
図２に示すように、光ディスクＤ１（例えばＤＶＤ）を再生する場合、光ディスクＤ１を再生するためのレーザ光源１はコリメータレンズ３０７及び対物レンズ２００の光軸上に配置されているため、図６（ｄ）に示すように、光ディスクＤ１からの戻り光Ｌｂ１のホログラム部２０上における光束Ｌｂ１１は、ホログラム部２０の中心部に位置する。
戻り光Ｌｂ１（光束Ｌｂ１１）は、さらにホログラム部２０の６つのホログラム領域２１〜２６毎に回折されて受光部３０８に到達する。図８（ａ）に示すスポット４１〜４６は、各ホログラム領域２１〜２６で回折された戻り光Ｌｂ１が受光部３０８に照射される領域であり、スポット４１〜４６とホログラム領域２１〜２６とはそれぞれ対応するものである。
【００６６】
ところで、前述したように光ピックアップ装置を製造する過程で発生する各光学部品の実装位置のばらつきにより受光部３０８における戻り光Ｌｂ１，Ｌｂ２の照射位置が光ピックアップ装置毎にばらつく。
図８（ａ）の破線部は、光ディスクＤ１を再生する場合に各光学部品の実装位置のばらつきによってスポット４５及び４２がずれた状態を模式的に示すものである。
図８（ａ）に示すように、光ディスクＤ１の再生において、スポット４５，４２が破線で示す位置にずれた場合でも、スポット４５，４２と分割線ｘ３０と重なる長さはほとんど変化しないため、実施例１｛図７（ａ）の破線部参照｝よりも受光素子３０９としての光ディスクＤ１に対するフォーカス誤差検出感度が、上述した光学部品の実装位置のばらつき（搭載ずれ）の影響を受けにくくなる。
【００６７】
図３に示すように、光ディスクＤ２（例えばＣＤ）を再生する場合、レーザ光源２から出射されるレーザ光の主ビームＬａ２の光軸とコリメータレンズ３０７及び対物レンズ２００の光軸とは一致していないため、図６（ｅ）に示すように、光ディスクＤ２からの戻り光Ｌｂ２のホログラム部２０上における光束Ｌｂ１２は、ホログラム部２０の中心部からずれる。このとき、光束Ｌｂ１２の中心ＯＬｂ１２は、ホログラム領域２２、ホログラム領域２５、及びホログラム領域２２とホログラム領域２５との境界線上のいずれかに位置している。
戻り光Ｌｂ２（光束Ｌｂ１２）は、さらにホログラム部２０の６つのホログラム領域２１〜２６毎に回折されて受光部３０８に到達する。図８（ｂ）に示すスポット５１〜５６は、各ホログラム領域２１〜２６で回折された戻り光Ｌｂ２が受光部３０８に照射される領域であり、スポット５１〜５６とホログラム領域２１〜２６とはそれぞれ対応するものである。
【００６８】
図８（ａ）及び（ｂ）に示すように、光ディスクＤ２を再生する場合は光ディスクＤ１を再生する場合に比べて受光領域３１，３２におけるスポット５５，５２の面積が小さくなるものの、実施例１の変形例（第１変形例）｛図７（ｂ）参照｝に比べて受光領域３１，３２におけるスポット５５，５２の面積が大きくなる。この面積はその受光領域における戻り光Ｌｂ２の受光量に相当するので、スポット５５，５２の面積が実施例１の変形例（第１変形例）よりも大きくなることにより受光領域３１，３２の受光感度が向上するため、受光素子３０９としての光ディスクＤ２に対するフォーカス誤差検出感度が実施例１の変形例（第１変形例）よりも向上する。
【００６９】
ところで、前述したように、光ピックアップ装置を製造する過程で生じる各光学部品の実装位置のばらつきにより、受光部３０８における戻り光Ｌｂ１，Ｌｂ２の照射位置が光ピックアップ装置毎にばらつく。
図８（ｂ）の破線部は、光ディスクＤ２を再生する場合に各光学部品の実装位置のばらつきによってスポット５５及び５２がずれた状態を模式的に示すものである。
図８（ｂ）に示すように、光ディスクＤ２の再生において、スポット５５，５２が破線で示す位置にずれた場合、受光領域３１，３２におけるスポット５５，５２の面積がさらに小さくなるものの、スポット５５，５２と分割線ｘ３０との重なり長さの変化量は実施例１の変形例（第１変形例）よりも小さいので、上述した理由と同様の理由により、実施例１よりも受光素子３０９としての光ディスクＤ２に対するフォーカス誤差検出感度が上述した光学部品の実装位置のばらつき（搭載ずれ）の影響を受けにくくなる。
【００７０】
フォーカス誤差検出感度は記録再生時における光ディスクの面ぶれに対する許容度に影響するため、フォーカス誤差検出感度が向上することにより、記録再生信号の悪化、例えばジッターの悪化やトラッキングエラーの発生を実施例１よりも抑制することができる。
【００７１】
図４に示すように、２層ＤＶＤ等の光ディスクＤ３は、２層の情報記録層Ｄ３ａ，Ｄ３ｂを有している。
光ピックアップ装置９０に近い側の情報記録層Ｄ３ａの再生を行う場合、図６（ｆ）に示すように、光ディスクＤ３からの戻り光Ｌｂ３のホログラム部２０上における光束Ｌｂ１３は、ホログラム部２０の中心部に位置する。
このとき、再生しない側の情報記録層Ｄ３ｂからの反射光Ｌｂ４もホログラム部２０に照射される。この再生しない側の情報記録層Ｄ３ｂからの反射光Ｌｂ４は不要光である。図６（ｆ）では、反射光Ｌｂ４のホログラム部２０上における光束をＬｂ１４として示している。
例えば、戻り光Ｌｂ３のホログラム部２０上における光束Ｌｂ１３の直径は約０．５ｍｍであり、反射光Ｌｂ４のホログラム部２０上における光束Ｌｂ１４の直径は０．１ｍｍ以下である。
【００７２】
不要光である反射光Ｌｂ４（光束Ｌｂ１４）は、ホログラム部２０の２つのホログラム領域２２及び２５のみに照射されるので、反射光Ｌｂ４はこれら２つのホログラム領域２２及び２５でそれぞれ回折されて受光部３０８に到達する。
図８（ｃ）に示すスポット６２及び６５は、２つのホログラム領域２２及び２５で回折された反射光Ｌｂ４が受光部３０８及びその近傍に照射される領域であり、スポット６２及び６５とホログラム領域２２及び２５とはそれぞれ対応するものである。
【００７３】
ところで、一般的に、フォーカスのずれ量は、互いに対角の位置関係にある、受光領域３１及び３３の受光量の和と受光領域３２及び３４の受光量の和との差分を算出して導き出す。
実施例１では、図７（ｃ）に示すように、各受光領域３１〜３４におけるスポット１６１〜１６６の受光量の和が受光領域３１〜３４ごとに異なっている。
それに対して、実施例２では、図８（ｃ）に示すように、例えば、スポット６２は受光領域３３及び３４に照射され、スポット６５は受光領域３１及び３２に照射されるため、互いに対角の位置関係にある、受光領域３１及び３３の受光量の和と受光領域３２及び３４の受光量の和とが同じになるので、反射光（不要光）Ｌｂ４の影響が相殺されて正しいフォーカスのずれ量を導き出すことができる。
従って、実施例１よりもフォーカスのずれ量を低減することができる。
【００７４】
また、反射光Ｌｂ３と不要光である反射光Ｌｂ４とがホログラム部２０に照射されている状態で例えば対物レンズ２００の位置が光ディスクの半径方向に移動すると、図６（ｃ）の破線で示すように、反射光Ｌｂ４（光束Ｌｂ１４）が２つのホログラム領域２２及び２５内のみを移動するため、実施例１よりも合焦ずれを抑制することができる。
【００７５】
次に、実施例２の光ピックアップ装置９０におけるホログラム素子３の回折部３１１について説明する。
【００７６】
図２〜図５に示すように、回折部３１１は、ホログラム素子３におけるホログラム部２０よりも外側の領域であってレーザ光源１及び２の上方にレーザ光源１及び２を覆うように形成されている。
【００７７】
レーザ光源１及び２は互いに対向する一対の共振器面を備えた共振器構造を有し、レーザ光源１及び２の一方の共振器面からレーザ光の主ビームＬａ１及びＬａ２がそれぞれ出射される。
その一方で、レーザ光源１及び２からは、主ビームＬａ１及びＬａ２が出射される一方の共振器面に対向する他方の共振器面からのレーザ光の漏れ光Ｌｃ１及びＬｃ２が出射される。漏れ光Ｌｃ１及びＬｃ２の光量は主ビームＬａ１及びＬａ２の光量に対してそれぞれ１／１０〜１／５程度である。
レーザ光源１及び２の他方の共振器面から出射された漏れ光Ｌｃ１及びＬｃ２は、ホログラム素子３０６の回折部３１１に照射される。
【００７８】
回折部３１１は、レーザ光源１及び２から出射された漏れ光Ｌｃ１及びＬｃ２がコリメータレンズ３０７やダイクロイックフィルタ４００に照射されないように、漏れ光Ｌｃ１及びＬｃ２を例えば矢印ｙ１，ｙ２の方向に±１次以上の回折光として回折するように設計されている。
回折部３１１の漏れ光Ｌｃ１及びＬｃ２に対する回折方向及び回折角度は回折部３１１に形成する溝のピッチ、幅、深さ、及び曲率等のパラメータを調整することによって決定される。
回折部３１１により、レーザ光源１及び２から出射された漏れ光Ｌｃ１及びＬｃ２が受光部３０８に照射されることを防止できる。
【００７９】
なお、回折部３１１が形成されていない従来の場合は、漏れ光Ｌｃ１及びＬｃ２が、ホログラム素子３におけるホログラム部２０よりも外側の領域を透過して０次光としてダイクロイックフィルタ４００に照射される。
ダイクロイックフィルタ４００は、ダイクロイックフィルタ４００に入射したレーザ光（主ビーム）の発振波長に応じて、入射した主ビームＬａ１，Ｌａ２の光束の一部が反射した場合に、その反射したレーザ光がコリメータレンズ３０７を透過してホログラム素子３０６に入射し、ホログラム素子３０６を透過、又はホログラム部１２０により回折されて、受光素子３０９の受光部３０８に入射することで、フォーカス誤差検出精度やトラッキング誤差検出精度が悪化する影響を低減するために図２〜図４の（ａ）及び（ｂ）の一点鎖線で示すコリメータレンズ３０７及び対物レンズ２００の光軸に対して傾いて配置されているので、ダイクロイックフィルタ４００で反射した漏れ光Ｌｃ１及びＬｃ２は、コリメータレンズ３０７を透過してホログラム素子３のホログラム部２０に照射される場合がある。ホログラム部１２０に照射された漏れ光Ｌｃ１及びＬｃ２は、受光素子３０９の受光部３０８に照射される。受光部３０８への漏れ光Ｌｃ１及びＬｃ２の照射は受光素子３０９としてのフォーカス誤差検出精度やトラッキング誤差検出精度を悪化させる要因になる。
【００８０】
次に、実施例２の光ピックアップ装置９０におけるホログラム素子３の回折部３１２について説明する。
【００８１】
図２〜図５に示すように、回折部３１２は、ホログラム素子３におけるホログラム部２０よりも外側の領域であって受光素子３０９の上方に少なくとも受光部３０８を覆うように形成されている。
【００８２】
ところで、ダイクロイックフィルタ４００は図示しないアクチュエータに取り付けられており、アクチュエータが駆動すると受光素子３０９の受光部３０８に外乱光Ｌｄが照射されたり、アクチュエータの駆動状態に応じて外乱光Ｌｄの光量が変化する場合がある。そのため外乱光Ｌｄは受光素子３０９としてのフォーカス誤差検出精度やトラッキング誤差検出精度を悪化させる要因になる。
【００８３】
しかしながら、実施例２の光ピックアップ装置９０では、回折部３１２が、外部から照射される外乱光Ｌｄが受光素子３０９、特に受光部３０８に照射されないように、外乱光Ｌｄを例えば矢印ｙ３，ｙ４の方向に±１次以上の回折光として回折するように設計されている。
回折部３１２の外乱光Ｌｄに対する回折方向及び回折角度は回折部３１２に形成する溝のピッチ、幅、深さ、及び曲率等のパラメータを調整することによって決定される。
このため、外部から受光部３０８に向かって外乱光Ｌｄが照射された場合においても、外乱光Ｌｄは回折部３１２によって回折されるので、外乱光Ｌｄの受光素子３０９、特に受光部３０８への照射を防止することができる。
【００８４】
上述した回折部３１１及び回折部３１２はホログラム部２０と共に一度に形成することができる。
【００８５】
本発明の実施例は、上述した構成及び手順に限定されるものではなく、本発明の要旨を逸脱しない範囲において変形例としてもよいのは言うまでもない。
【００８６】
ここで、上述した実施例２の変形例（第２変形例）について図９を用いて説明する。図９は、本発明に係る光ピックアップ装置の実施例２の変形例（第２変形例）を説明するための平面図であり、前述した図５に対応するものである。
【００８７】
＜変形例（第２変形例）＞
第２変形例は、実施例２の光ピックアップ装置９０に対してホログラム部における６つのホログラム領域の形状が異なり、他の構成部については実施例２と同じなのでその説明を省略する。なお、説明をわかりやすくするために実施例２と同じ構成部には同じ符号を付して説明する。
【００８８】
図９に示すように、ホログラム部７０をｘ−ｙ座標で表すと、ホログラム部７０は、（−ｘｂ，ｙｂ）、（ｘｂ，ｙｂ）、（ｘｂ，−ｙｂ）、及び（−ｘｂ，−ｙｂ）の４つの座標点を結ぶ線で囲まれた領域で表すことができる。なお、図９では光ディスクＤ１〜Ｄ３（図２〜図４参照）のトラックを二点鎖線で模式的に示しており、ｙ軸は光ディスクＤ１〜Ｄ３のトラックの座標点（０，０）における接線に相当する。
【００８９】
また、ホログラム部７０は、６つのホログラム領域７１〜７６を有している。
ホログラム領域７１は、座標点（０，０）を通りｙ軸に直交する分割線Ａ（ｘ軸に相当する）と、座標点（−ｘａ，０）と座標点（−ｘｃ，ｙｂ）とを結ぶ分割線Ｆと、によって分割された領域である。
ホログラム領域７２は、分割線Ａと、分割線Ｆと、座標点（ｘａ，０）と座標点（ｘｃ，ｙｂ）とを結ぶ分割線Ｇと、によって分割された領域である。
ホログラム領域７３は分割線Ａと分割線Ｇとによって分割された領域である。
ホログラム領域７４は、分割線Ａと、座標点（ｘａ，０）と座標点（ｘｃ，−ｙｂ）とを結ぶ分割線Ｈと、によって分割された領域である。
ホログラム領域７５は、分割線Ａと、分割線Ｈと、座標点（−ｘａ，０）と座標点（−ｘｃ，−ｙｂ）とを結ぶ分割線Ｊと、によって分割された領域である。
ホログラム領域７６は分割線Ａと分割線Ｊとによって分割された領域である。
第２変形例のホログラム領域７１〜７６は実施例２のホログラム領域２１〜２６にそれぞれ対応するものである。
ここで、ｘａ，ｘｂ，及びｘｃは、ｘａ＜ｘｃ＜ｘｂの関係式を満たす。第１変形例では、ｘａ＝０．１５mm、ｘｂ＝０．３mm、ｘｃ＝０．５mm、ｙｂ＝０．５mmとした。
【００９０】
ホログラム領域７２及び７５は、光ディスクＤ１〜Ｄ３のトラックの座標点（０，０）における接線（ｙ軸）に対して略４５度の角度をなす非点収差が付与され、他のホログラム領域７１，７３，７４，及び７６は、光ディスクＤ１〜Ｄ３のトラックの座標点（０，０）における接線（ｙ軸）に対して略９０度の角度をなす非点収差が付与されており、これらホログラム領域７１〜７６は光ディスクＤ１〜Ｄ３からの戻り光Ｌｂ１〜Ｌｂ３を上記接線と直交する方向に回折する。
【００９１】
次に、上述した実施例２の変形例（第３変形例）について図１０を用いて説明する。
図１０は、本発明に係る光ピックアップ装置の実施例２の変形例（第３変形例）を説明するための平面図であり、前述した図２に対応するものである。
【００９２】
＜変形例（第３変形例）＞
第３変形例は、実施例２の光ピックアップ装置９０に対してホログラム部の６つのホログラム領域の形状が異なり、他の構成部については実施例２と同じなのでその説明を省略する。なお、説明をわかりやすくするために実施例２と同じ構成部には同じ符号を付して説明する。
【００９３】
図１０に示すように、ホログラム部８０をｘ−ｙ座標で表すと、ホログラム部８０は、（−ｘｂ，ｙｂ）、（ｘｂ，ｙｂ）、（ｘｂ，−ｙｂ）、及び（−ｘｂ，−ｙｂ）の４つの座標点を結ぶ線で囲まれた領域で表すことができる。なお、図１０では光ディスクＤ１〜Ｄ３（図２〜図４参照）のトラックを二点鎖線で模式的に示しており、ｙ軸は光ディスクＤ１〜Ｄ３のトラックの座標点（０，０）における接線に相当する。
【００９４】
また、ホログラム部８０は、６つのホログラム領域８１〜８６を有している。
ホログラム領域８１は、座標点（０，０）を通りｙ軸に直交する分割線Ａ（ｘ軸に相当する）と、座標点（−ｘａ，０）と座標点（−ｘｄ，ｙｂ）とを結ぶ分割曲線Ｋと、によって分割された領域である。
ホログラム領域８２は、分割線Ａと、分割線Ｋと、座標点（ｘａ，０）と座標点（ｘｄ，ｙｂ）とを結ぶ分割曲線Ｍと、によって分割された領域である。
ホログラム領域８３は分割線Ａと分割線Ｍとによって分割された領域である。
ホログラム領域８４は、分割線Ａと、座標点（ｘａ，０）と座標点（ｘｄ，−ｙｂ）とを結ぶ分割曲線Ｎと、によって分割された領域である。
ホログラム領域８５は、分割線Ａと、分割線Ｎと、座標点（−ｘａ，０）と座標点（−ｘｄ，−ｙｂ）とを結ぶ分割線Ｐと、によって分割された領域である。
ホログラム領域８６は分割線Ａと分割線Ｐとによって分割された領域である。
第３変形例のホログラム領域８１〜８６は実施例２のホログラム領域２１〜２６にそれぞれ対応するものである。
ここで、ｘａ，ｘｂ，及びｘｄは、ｘａ＜ｘｄ＜ｘｂの関係式を満たす。第２変形例では、ｘａ＝０．１５mm、ｘｂ＝０．３mm、ｘｄ＝０．５mm、ｙｂ＝０．５mmとした。
【００９５】
ホログラム領域８２及び８５は、光ディスクＤ１〜Ｄ３のトラックの座標点（０，０）における接線（ｙ軸）に対して略４５度の角度をなす非点収差が付与され、他のホログラム領域８１，８３，８４，及び８６は、光ディスクＤ１〜Ｄ３のトラックの座標点（０，０）における接線（ｙ軸）に対して略９０度の角度をなす非点収差が付与されており、これらホログラム領域８１〜８６は光ディスクＤ１〜Ｄ３からの戻り光Ｌｂ１〜Ｌｂ３を上記接線と直交する方向に回折する。
【符号の説明】
【００９６】
１，２，３０４＿レーザ光源、  ３，３０６＿ホログラム素子、  ２０，１２０＿ホログラム部、  ２１〜２６，１２１〜１２６＿ホログラム領域、  ３１〜３４＿受光領域、  ９０，３００＿光ピックアップ装置、  ２００＿対物レンズ、  ３０２＿ベース部、  ３０３＿サブマウント部、  ３０５＿ミラー部、  ３０５ａ＿反射面、  ３０７＿コリメータレンズ、  ３０８＿受光部、  ３０９＿受光素子、  ３１１，３１２＿回折部、  ４００＿ダイクロイックフィルタ、  Ｌａ，Ｌａ１，Ｌａ２＿レーザ光（主ビーム）、  Ｄｘ，Ｄ１〜Ｄ３＿光ディスク、  Ｌｂ＿戻り光、  Ｏ２０，Ｏ１２０＿中心、  Ｌｃ＿漏れ光
【図１】
0005392031.tif 000002
【図２】
0005392031.tif 000003
【図３】
0005392031.tif 000004
【図４】
0005392031.tif 000005
【図５】
0005392031.tif 000006
【図６】
0005392031.tif 000007
【図７】
0005392031.tif 000008
【図８】
0005392031.tif 000009
【図９】
0005392031.tif 000010
【図１０】
0005392031.tif 000011